(57)【特許請求の範囲】
【請求項１】
主ロープの端部にそれぞれ取付けられ、孔部が設けられるソケットと、このソケットから延設され雄螺子部が形成されるロッドと、このロッドが挿入される固定板と、この固定板から反ソケット側に位置し前記ロッドの周囲に配設されるスプリングと、このスプリングを前記固定板方向へ押圧可能に前記ロッドに螺合するロックナットとを備えたエレベータ主ロープエンドの調整治具において、
前記ロックナットの螺進時に用いられ、前記孔部に挿入される挿入部、この挿入部との間で前記ソケットを把持可能なソケット表面当接部、および前記挿入部と前記ソケット表面当接部のそれぞれの端部がその一端側に連結されるとともに他端側が延設されるハンドル部を有するソケット廻り止め工具と、前記ロックナットに係合する係合部、この係合部から延設され、前記ロックナットから反固定板方向に突出した前記ロッドを収納する筒状部、およびこの筒状部の反係合部側端部に設けられ、前記ロックナットと同等の外形を有する締付け部を備えた２分割可能なボックスソケットとを設けたことを特徴とするエレベータ主ロープエンドの調整治具。
【発明の詳細な説明】
【０００１】
【発明の属する技術分野】
本発明は、乗かごを駆動する主ロープの伸び発生時に行われる調整作業に用いられるエレベータ主ロープエンドの調整治具に関する。
【０００２】
【従来の技術】
一般にエレベータは乗かごへの駆動力伝達のために主ロープを用いているものが多い。そして、このような主ロープは乗かごの昇降に応じて発生する張力により徐々に伸びてくるため、この伸びに対応する調整作業が必要となる。
【０００３】
以下、このような調整作業が行われる主ロープエンドの構成を図を用いて説明する。
【０００４】
図７は一般的なエレベータの主ロープエンドの構成を示す正面図である。
【０００５】
エレベータの主ロープエンドは図７に示すように、主ロープ１の端部が取付けられるとともに、この取付け作業時に固定用の溶剤が注入可能なように形成された孔部２ａが設けられるソケット２と、このソケット２に一端側が連結され、他端側に雄螺子部が形成されるロッド３と、このロッド３が挿入される固定板４と、この固定板４から反ソケット２側に位置し、ロッド３の周囲に配設されるスプリング５と、ロッド３が挿入されるとともにスプリング５の上面に当接する押え板８と、この押え板８を介してスプリング５を下方へ、つまり固定板４方向へ押圧可能にロッド３に螺合するロックナット６ａ、６ｂと、これらのロックナット６ａ、６ｂの抜け出し防止のためにロッド３に取付けられる割ピン７とを有している。
【０００６】
そして、主ロープ伸び調整作業時には、ロックナット６ａを螺退させることにより緩め、ソケット２の回転を抑制しながらロックナット６ｂを下方に螺進させ、スプリング５を固定板８との間で圧縮し、ロッド３を上昇させるようにして作業を行っている。
【０００７】
また、従来におけるソケット２の回転抑止方法としては、隣接するソケット２の孔部２ａ間に図示しないフックを取付けるものや、孔部２ａ間に連結板を介設し、この連結板を図示しないボルトナットにより孔部２ａに締結するものが提案されている。
【０００８】
なお、この種のものとして、例えば特開平７−１７２７３３号公報、特開平７−１７２７３２号公報に記載されるものを挙げることができる。
【０００９】
【発明が解決しようとする課題】
ところで、前述した従来のソケット２の回転抑止方法では、例えばフックを用いるものにあっては、このフックの孔部２ａへの掛り代が十分に取ることができず、前記フックが脱落する懸念があった。また、連結板を用いるものにあっては、孔部２ａがソケット２を貫通していることを要するため、例えば既知のバビット式のソケットのように貫通孔を有していないものには使用することができないとともに、ボルトナットの脱着作業に多くの手間を要するという問題があった。
【００１０】
本発明はこのような従来技術における実情に鑑みてなされたもので、その目的は、あらゆる形態のソケットに使用可能であるとともに、安定した状態でソケットの回転を抑止可能であり、かつロックナットの螺進退作業を効率よく行うことのできるエレベータ主ロープエンドの調整用治具を提供することにある。
【００１１】
【課題を解決するための手段】
この目的を達成するために本発明は、主ロープの端部にそれぞれ取付けられ、孔部が設けられるソケットと、このソケットから延設され雄螺子部が形成されるロッドと、このロッドが挿入される固定板と、この固定板から反ソケット側に位置し前記ロッドの周囲に配設されるスプリングと、このスプリングを前記固定板方向へ押圧可能に前記ロッドに螺合するロックナットとを備えたエレベータ主ロープエンドの調整治具において、前記ロックナットの螺進時に用いられ、前記孔部に挿入される挿入部、この挿入部との間で前記ソケットを把持可能なソケット表面当接部、および前記挿入部と前記ソケット表面当接部のそれぞれの端部がその一端側に連結されるとともに他端側が延設されるハンドル部を有するソケット廻り止め工具と、前記ロックナットに係合する係合部、この係合部から延設され、前記ロックナットから反固定板方向に突出した前記ロッドを収納する筒状部、およびこの筒状部の反係合部側端部に設けられ、前記ロックナットと同等の外形を有する締付け部を備えた２分割可能なボックスソケットとを設けた構成にしてある。
【００１２】
前記のように構成した本発明によれば、前記ロックナットの螺進時に、前記ソケット廻り止め工具の前記挿入部を前記孔部に挿入することにより、この挿入部と前記ソケット表面当接部との間で前記ソケットを把持する。これによって、貫通孔を有さないソケットを含め、あらゆる形態のソケットに使用可能であるとともに、安定した状態でソケットの回転を抑止することができる。
【００１３】
また、前記ロックナットに前記ボックスソケットの係合部を係合させ、前記ロッドの上端部より上方に位置する前記締付け部を回動することにより、隣接する他のロッドを障害とすることなく前記ロックナットを螺進退させることができ、したがって、ロックナットの螺進退作業を効率よく行うことができる。
【００１４】
【発明の実施の形態】
以下、本発明のエレベータ主ロープエンドの調整用治具の実施の形態を図に基づいて説明する。
【００１５】
図１は本発明のエレベータ主ロープエンドの調整用治具の一実施形態を示す正面図、図２は図１の調整用治具の一部であるソケット廻り止め工具の使用状態を示す要部拡大断面図、図３は図２のソケット廻り止め工具の全体構成を示す平面図、図４は図１の調整用治具の一部であるボックスソケットの詳細を示す正面図、図５は図１の調整用治具を用いた作業手順を示すフローチャートである。なお、前述した図７に示すものと同等のものには同一符号が付してある。すなわち、１は主ロープ、２はソケット、２ａは孔部、３はロッド、４は固定板、５はスプリング、６ａ、６ｂはロックナット、７は割りピン、８は押え板である。
【００１６】
本実施形態の調整用治具は図２および図３に示すように、孔部２ａに挿入される挿入部９ａと、この挿入部９ａの両側方に対向するように配設され、挿入部９ａとの間でソケット２を把持可能なソケット表面当接部９ｂ、９ｃと、挿入部９ａとソケット表面当接部９ｂ、９ｃのそれぞれの端部がその一端側に連結されるとともに他端側が延設される長尺材でなるハンドル部９ｄとを有するソケット廻り止め工具９を備えている。
【００１７】
また、図１および図４に示すように、ロックナット６ｂに係合する係合部１０ａと、この係合部１０ａから上方に延設され、ロックナット６ｂから反固定板４方向に突出した、すなわち上方に突出したロッド３を収納する筒状部１０ｂと、この筒状部１０ｂの反係合部１０ａ側端部、すなわち上部に設けられ、ロックナット６ａ、６ｂと同等の外形を有する締付け部１０ｃとを備え、上部材１０１、下部材１０２とに２分割可能なボックスソケット１０を備えている。
【００１８】
この実施形態にあっては、手順Ｓ１として図２に示すようにソケット２の孔部２ａにソケット廻り止め工具９の挿入部９ａを挿入し、ハンドル部９ｄを把持してこのソケット廻り止め工具９を回動させ、ソケット２との間に摩擦力を生じさせた状態でソケット廻り止め工具９をセットする。次いで、手順Ｓ２として割ピン７を１８０度開き、図１に示すように縦向きとする。この後、手順Ｓ３としてロックナット６ａを緩め、手順Ｓ４として緩めたロックナット６ａが再度下方に螺進しないようにロックナット６ｂとの間隔を１０ｍｍ程度空ける。
【００１９】
次に、手順Ｓ５としてボックスソケット１０の上部材１０１、下部材１０２によりロッド３を頂部から覆うようにして収納し、下部材１０２の係合部１０ａとロックナット６ｂとを係合させた状態とする。そして、手順Ｓ６として上部材１０１の締付け部１０ｂをラチェトスパナ１１により締め上げることによりロックナット６ｂを下方に螺進させ、ロープ伸びに対応した寸法、例えば６０ｍｍ程度スプリング５を圧縮するとともに、ロッド３を上方へ引き上げる。この状態で手順Ｓ７としてロックナット６ａを螺進させてロックナット６ｂに当接させ、再度ロックする。
【００２０】
この後、手順Ｓ８として他の主ロープ１に対しても前述した手順Ｓ１〜手順Ｓ７の作業を繰り返して行い、最後に、手順Ｓ９として割ピン７を新たなものに交換して正規の角度、すなわち６０〜９０度に開き、ロープ伸び調整作業を終了する。
【００２１】
このように構成した実施形態では、ソケット廻り止め工具９の挿入部９ａを孔部２ａに挿入することにより、この挿入部９ａとソケット表面当接部９ｂ、９ｃとの間でソケット２を把持してこのソケット２の回転を阻止するため、貫通孔を有さないソケットを含め、あらゆる形態のソケットに使用可能であるとともに、安定した状態でソケット２の回転を抑止することができる。また、ボックスソケット１０によりロッド３の上端部より上方に位置する締付け部１０ｃを回動することにより、隣接する他のロッドを障害とすることなくロックナット６ｂを螺進退させることができるため、このロックナット６ｂの螺進退作業を効率よく行うことができる。さらに、ボックスソケット１０を上部１０１、下部１０２の２つに分割可能としたため、ロッド３の上方に限られたスペースしかない場合でも、このボックスソケット１０を装着することができる。
【００２２】
図６は本発明のエレベータ主ロープエンドの調整用治具の一部であるボックスソケットの他の実施形態を示す正面図である。
【００２３】
他の実施形態のボックスソケット１００は図６に示すように、左部材１０３および右部材１０４の２つに２分割可能であり、これらの左部材１０３と右部材１０４をロッド３へ取付けた後に締結バンド１２にて締結することにより、ロックナット６ｂに係合する係合部１００ａと、この係合部１００ａから上方に延接され、ロックナット６ｂから反固定板８方向に突出した、すなわち上方に突出したロッド３を収納する筒状部１００ｂと、この筒状部１００ｂの反係合部側端部、すなわち上部に設けられ、ロックナット６ａ、６ｂと同等の外形を有する締付け部１００ｃとを形成するようになっている。
【００２４】
このように構成した他の実施形態では、前述したものと同様、ロッド３の上方に限られたスペースしかない場合でも、このボックスソケット１００を装着することができる。
【００２５】
【発明の効果】
本発明は以上のように構成したので、ソケット廻り止め工具の挿入部をソケットの孔部に挿入してこのソケットの回転を阻止するため、貫通孔を有さないソケットを含めあらゆる形態のソケットに使用可能であるとともに、安定した状態でソケットの回転を抑止可能であり、これによって、設備費の低減を図ることができ、かつ精度の高いロープ伸び調整作業を行うことができる。
【００２６】
また、ボックスソケットを用いることにより隣接する他のロッドを障害とすることなくロックナットを螺進退させることができるため、このロックナットの螺進退作業を効率よく行うことができ、したがって、ロープ伸び調整作業にかかる労力や時間を低減できるという効果がある。
【図面の簡単な説明】
【図１】本発明のエレベータ主ロープエンドの調整用治具の一実施形態を示す正面図である。
【図２】図１の調整用治具の一部であるソケット廻り止め工具の使用状態を示す要部拡大断面図である。
【図３】図２のソケット廻り止め工具の全体構成を示す平面図である。
【図４】図１の調整用治具の一部であるボックスソケットの詳細を示す正面図である。
【図５】図１の調整用治具を用いた作業手順を示すフローチャートである。
【図６】本発明のエレベータ主ロープエンドの調整用治具の一部であるボックスソケットの他の実施形態を示す正面図である。
【図７】一般的なエレベータの主ロープエンドの構成を示す正面図である。
【符号の説明】
１  主ロープ
２  ソケット
２ａ  孔部
３  ロッド
４  固定板
５  スプリング
６ａ、６ｂ  ロックナット
７  割ピン
８  押え板
９  ソケット廻り止め工具
９ａ  挿入部
９ｂ、９ｃ  ソケット表面当接部
９ｄ  ハンドル部
１０、１００  ボックスソケット
１０ａ、１００ａ  係合部
１０ｂ、１００ｂ  筒状部
１０ｃ、１００ｃ  締付け部
１１  ラチェトスパナ
１２  締結バンド
１０１  上部材
１０２  下部材
１０３  左部材
１０４  右部材
【図１】
0003681600.tif 000002
【図２】
0003681600.tif 000003
【図３】
0003681600.tif 000004
【図４】
0003681600.tif 000005
【図５】
0003681600.tif 000006
【図６】
0003681600.tif 000007
【図７】
0003681600.tif 000008